(57)【要約】この固定装置は、少なくとも２つの開口部を備えた平面を有する支持要素への線（１０）の固定に使用可能である。装置は弾性の鋼板からなり、本体がカットされてほぼＵ字形に折り曲げられ、芯部（３３）と、端がＴ字形の２つのフランジ（３４）とを含む。各端のＴ字形の少なくとも一方のアームは、開口部の縁で、前記平面に向かい合った支持要素面により支持されるように構成される。
2006524029.tif 000002
【特許請求の範囲】
【請求項１】
少なくとも１つの開口部（３０）を備えた平面（２１）を有する支持要素（２０）への線（１０）の固定に使用可能な固定装置であって、弾性の鋼板からなり、本体がカットされてほぼＵ字形に折り曲げられ、芯部（３３）と、端がＴ字形の２つのフランジ（３４）とを含み、各端のＴ字形の少なくとも一方のアームが、開口部（３０）の縁で、平面（２１）に向かい合った支持要素（２０）の面で支持されるように構成されることを特徴とする、装置。
【請求項２】
各開口部（３０）は、細長い形の狭域（３２）が通じるほぼ円形の部分（３１）を含むことを特徴とする、請求項１に記載の固定装置。
【請求項３】
各フランジ（３４）のＴ字形の横棒（３５）は、横方向に測定した幅が、各開口部（３０）の狭域（３２）の幅より大きいことを特徴とする、請求項２に記載の固定装置。
【請求項４】
各フランジ（３４）のＴ字形の横棒（３５）が、その端縁に、開口部（３０）への挿入を容易にする傾斜面（３６）を有することを特徴とする、請求項１から３のいずれか一項に記載の固定装置。
【請求項５】
各フランジ（３４）のＴ字形の横棒（３５）が、Ｔ字形の脚部（３７）に向いた縁の片側に、フィンガ（３９）を画定する切り欠き（３８）を有することを特徴とする、請求項１から４のいずれか一項に記載の固定装置。
【請求項６】
Ｔ字形の横棒（３５）が、反対のフランジ（３４）に向かって配向された９０度の折り返し部分（４０）を有することを特徴とする、請求項１から５のいずれか一項に記載の固定装置。
【請求項７】
折り返し部分（４０）が、その端縁に、開口部（３０）へのフランジ（３４）の挿入を容易にする傾斜面（４１）を有することを特徴とする、請求項６に記載の固定装置。
【請求項８】
折り返し部分（４０）が、脚部（３７）に向いた縁に、連結歯（４２）を有することを特徴とする、請求項６または７に記載の固定装置。
【請求項９】
芯部（３３）が、中央でその長さの少なくとも一部にわたって、非常に開いたＶ字形を有し、その底が、固定される線（１０）を受容する溝（４３）を有することを特徴とする、請求項１から８のいずれか一項に記載の固定装置。
【請求項１０】
ケーブル架として構成されるトラス構造の固定用であることを特徴とする、請求項１から９のいずれか一項に記載の固定装置。
【請求項１１】
平面（２１）に少なくとも１つの開口部（３０）を有する支持要素（２０）と、請求項１０に記載の少なくとも１つの固定装置との組み合わせからなる、線トラスケーブル架用の支持アセンブリ。
【請求項１２】
支持要素（２０）がＵ字形の形材であり、その芯部が、開口部（３０）を備えた平面を支持することを特徴とする、請求項１１に記載の支持アセンブリ。
【請求項１３】
形材（２０）のフランジまたは折り返し部分（２２、２３）の自由縁が、固定装置のフィンガ（３９）を受容する管路（２６、２７）を画定する縁（２４、２５）を有することを特徴とする、請求項１２に記載の支持アセンブリ。
【発明の詳細な説明】
【技術分野】
【０００１】
本発明は、少なくとも２つの開口部を備えた支持要素に線を固定可能にする固定装置を目的とする。
【背景技術】
【０００２】
支持要素に線の固定が必要になる問題はよく提起される。たとえば溶接線からなるトラス構造を固定する場合がそうである。このような構造は、たとえば線ケーブル架とすることができる。
【０００３】
周知のように、これらの線ケーブル架は、異なる２種類の線、すなわち、その長さ全体にわたって直線または準直線になるように長手方向に延びて通常は縦線と呼ばれる長手方向の線と、これらの縦線に沿って横方向の所々に設置されて縦線に適切に固定され、Ｕ字形に成形されて通常は横線と呼ばれる横方向の線とを網の目状に含み、全体が、実際には平面または準平面の３つのパネル、すなわち１つの底パネルと、通常はフランジと呼ばれる２つの側面パネルとを総合的に形成する。
【０００４】
これらの線ケーブル架は、一般に、電気ケーブルまたは同等物を、溝式に支持、収容し、保護するために使用される。
【０００５】
ここで、また以下の説明において、電気ケーブルとは、電気エネルギーを搬送および供給可能なケーブルのみならず、電気的、光学的その他の仕方で情報伝達が可能なケーブルおよびファイバを意味する。
【０００６】
このような電気ケーブルに関して、線ケーブル架は、電気設備業者が高く評価する多数の長所を有し、中でも、設置しやすさ、従って経済性、しなやかさ、電気ケーブルを任意の１つの網目から取り出せること、透明性、従って電気ケーブルの位置識別性、換気、清浄性、電気ケーブルとユーザとに対する安全性、性能といった長所が挙げられる。
【０００７】
このようなトラス構造を固定するために、たとえば仏国特許出願公開第２６９７６９０号明細書では、ケーブル架の底を受容するように構成された平面を有し、ケーブル架の底の線と協働可能なつめをこの平面に備えた、固定形材の利用が既に提案されている。
【０００８】
この特許によれば、鋼板からなる固定形材は、Ｕ字形の横線に溶接された長手方向の底線によりケーブル架が保持される平面を有する。形材の平面は、少なくとも２つの細長い開口部を有し、カットおよび折り曲げによってそこからつめを引き出す。つめは、厳密な意味での固定操作を実施する前に、形材の平面に平行に延びるストリップとして成形され、この平面から、長手方向の底線の直径にほぼ等しい一定の距離を置かれる。
【０００９】
ケーブル架を固定するには、このケーブル架を形材の平面に置き、底線が形材の平面でつめのストリップの継目に当たるまで、底線をつめのストリップの下に配置するようにケーブル架を並進移動する。もちろん、底線は、所定の間隔で繰り返されるので、つめの位置は、これらの間隔に対応していなければならない。固定操作を終了するには、任意の工具を用いて、あるいは適切な工具を用いれば尚よいが、長手方向の底線の周囲で形材の平面側につめのストリップを折り返すだけでよい。
【００１０】
この構成は、トラスタイプの構造の固定に関しては満足を与えるが、次のような複数の欠点がある。つまり、つめとつめの間の間隔が、ケーブル架の長手方向の線の間隔に正確に対応しなければならないので、つめ状の形材は、この形材が協働する所定の線トラスケーブル架にしか取り付けられない。しかも、サプライヤに固有の形材であるつめ付き形材を利用提供することが必要になる。
【発明の開示】
【発明が解決しようとする課題】
【００１１】
本発明は、この欠点を解消することを目的とする。本発明は、トラス構造の長手方向の線等の少なくとも１つの線の固定に単一タイプの支持要素が適合できるように、少なくとも２つの開口部を備えた支持要素に線を固定する装置を目的とする。
【００１２】
また、長手方向の線の間隔が異なる複数タイプのトラス構造に、線の固定装置が適合できるようにしようとするものである。
【００１３】
さらに、支持要素の位置がどこにあっても固定装置が動作できるようにし、以前よりも固定操作をずっと簡単にしようとするものである。
【課題を解決するための手段】
【００１４】
本発明によれば、少なくとも１つの開口部を備えた平面を有する支持要素への線の固定に使用可能な固定装置は、弾性の鋼板からなり、本体がカットされてほぼＵ字形に折り曲げられ、芯部と、端がＴ字形の２つのフランジとを含み、各端のＴ字形の少なくとも一方のアームが、開口部の縁で、平面に向かい合った支持要素の面で支持されるように構成されることを特徴とする。
【００１５】
実施形態では、各開口部は、細長い形の狭域が通じるほぼ円形の部分を含む。この実施形態では、各フランジのＴ字形の横棒は、たとえば横方向に測定した幅が、各開口部の狭域の幅よりも大きい。
【００１６】
好適には、各フランジのＴ字形の横棒が、その端縁に、開口部への挿入を容易にする傾斜面を有する。
【００１７】
様々な平面に取り付けられるようにするために、各フランジのＴ字形の横棒が、有利にはＴ字形の脚部に向いた縁の片側に、フィンガを画定する切り欠きを有する。
【００１８】
連結を可能にするために、Ｔ字形の横棒は、たとえば、反対のフランジに向かって配向された９０度の折り返し部分を有する。好適には、この折り返し部分が、その端縁に、開口部へのフランジの挿入を容易にする傾斜面を有する。折り返し部分は、脚部に向いた縁に、さらにしっかりと固定可能にするための連結歯を有する。
【００１９】
実施形態では、芯部が、中央でその長さの少なくとも一部にわたって、非常に開いたＶ字形を有し、その底が、固定される線を受容する溝を有する。
【００２０】
本発明による固定装置の特定の実施形態によれば、固定装置は、ケーブル架として構成されるトラス構造の固定用である。
【００２１】
支持要素は、天井から垂直壁や支柱にケーブル架を固定するために、たとえば、Ｔ定規、棚台、吊り下げ板、吊り台その他をなす形材であり、ケーブル架の底線または側面線に固定を実施できる。
【００２２】
本発明は、また、平面に少なくとも１つの開口部を有する支持要素と、本発明による少なくとも１つの固定装置との組み合わせからなる線トラスケーブル架用の支持アセンブリに関する。
【００２３】
好適には、支持要素はＵ字形の形材であり、その芯部が、開口部を備えた平面を支持する。有利には、形材のフランジまたは折り返し部分の自由縁が、固定装置のフィンガを受容するように構成された管路を画定する縁を有する。このようにして、形材の芯部と、この形材の反対面とへの固定を検討できる。
【００２４】
以下、本発明をいっそう理解させるために、添付図面に示された実施形態について、限定的ではない単なる例として説明する。
【発明を実施するための最良の形態】
【００２５】
図１から図３は、本発明による固定装置を示す。この装置は、本体がカットされてほぼＵ字形に折り曲げられ、芯部３３と２つのフランジ３４とを含む。
【００２６】
フランジ３４の各々は、Ｔ字形の端を有する。Ｔ字形の横棒３５は、Ｔ字形の脚部３７に向いた縁に、フィンガ３９を画定する切り欠き３８を有し、反対の端縁に傾斜面３６を含む。
【００２７】
脚部３７に関して反対側で、Ｔ字形の横棒３５は、フィンガ３９の従って横方向の向かい側に、対向フランジ３４に向かって配向された９０度の折り返し部分４０を有する。
【００２８】
折り返し部分４０は、その端縁に傾斜面４１を有し、Ｔ字形の脚部３７に向かうふちにいわゆる連結歯４２を有する。
【００２９】
固定装置の本体の芯部３３は、中央に、その長さの少なくとも一部にわたって、前記本体のフランジ３４に凹部が向いた非常に開いたＶ字形を有し、その底が、固定される線１０を受容するための溝４３を有する。
【００３０】
図４は支持要素２０を示し、この要素は、平面２１と、互いに平行で平面２１に垂直な２つの折り返し部分２２、２３とを有するＵ字形断面の形材である。一般に、この形材は、全体として中空でない構造またはトラス構造を固定支持するために使用される。その平面２１は、２つの開口部３０を備える。
【００３１】
各開口部３０は、ほぼ円形の部分３１を含み、細長い形状の狭域３２がこの部分に通じている。
【００３２】
固定装置の各フランジ３４のＴ字形の横棒３５は、横方向に測定した幅が、各開口部３０の狭域３２より大きい。
【００３３】
本発明による固定装置は、線１０を、より詳しくは、ケーブル架の底を部分的に画定する２つの長手方向の線１０と１つの横線１１とによりここでは示されたケーブル架等のトラス構造を、この形材２０に固定するように構成される。
【００３４】
以上の説明から、本発明による固定装置が利用される。固定される線を形材２０の平面２１に設置後（図４）、この線に、横方向に固定装置を設置し、固定装置の一端を開口部３０の円形エリア３１（図４の右側のエリア）に挿入し、この端のフランジ３４を平面２１の反対側で円形エリア３１に配置する。線１０は溝４３に配置されるので、固定装置を横に押して、当該端が狭域３２の正面にくるようにし、固定装置の他端が別の開口部３０（図４の左側の開口部）の円形エリア３１に挿入されるようにすればよい。この操作は傾斜面３６により容易にされる。その場合、固定装置の各端の歯４２およびフィンガ３９は、支持要素２０の内面で支持される。
【００３５】
円形エリア３１および狭域３２を、円形エリアの直径に等しい幅で長さが同じ細長い開口部に代えてもよい。
【００３６】
本発明の結合装置の別の長所は、形材２０のフランジまたは折り返し部分２２、２３の自由縁が、管路２６、２７を画定する縁２４、２５を有することによるものであり、図５に示したように、形材のフランジ２２、２３の自由縁にトラス構造を固定するために結合装置を利用可能である。その場合、結合装置のフィンガ３９は管路２６、２７で受容される。ここでは、長手方向の線１０の間の間隔がどれほどであっても、形材の任意の場所でその軸に沿って固定を実施できることが分かる。
【図面の簡単な説明】
【００３７】
【図１】本発明による固定装置の斜視図である。
【図２】図１の矢印ＩＩによる立面図である。
【図３】図１のＩＩＩ−ＩＩＩ線による断面図である。
【図４】トラスケーブル架の固定のために図１から図３の装置を適用したところを示す部分断面斜視概略図である。
【図５】図４の形材の開放面への本発明による装置によるトラスケーブル架の固定を示す、図４と同様の図である。
【図１】
2006524029.tif 000003
【図２】
2006524029.tif 000004
【図３】
2006524029.tif 000005
【図４】
2006524029.tif 000006
【図５】
2006524029.tif 000007
【国際調査報告】
2006524029.tif 000008
2006524029.tif 000009
2006524029.tif 000010
2006524029.tif 000011